(57)【要約】【課題】本発明が解決しようとする課題は、これまでの従来の乗り物などは、限られた時間でＡ地点からＢ地点やＣ地点などへ人物や物などを移動させるだけの目的でした。本発明は乗り物などと言う名の箱へ、極めて限られたわずかな時間内でＷｅｂやインターネットそして電子メールをはじめとする、宣伝や広告などを含む様々な映像情報や音声情報、そして音楽情報などを有意義に伝える為の方法などを考えたものです。【解決手段】本発明が課題とする解決の手段は乗り物など中で、普段は特別に効果や威力を発揮する事の無い壁などに、例えばタッチ式マルチ画面や音響装置、そして充分に活用する事により、これまで壁紙程度の静止画面的な宣伝や広告の情報などを、次々と新しく様々な動画情報や静止画情報そして音声や音楽情報などを公開．広報する事が出来ます。【選択図】    図１
2006131205.tif 000002
【特許請求の範囲】
【請求項１】
本発明は、例えば旅などで自動車．バス．潜水艦．列車．電車．新幹線．航空機．船舶．宇宙船その他の各種乗合移動物（以後は乗り物などと略して説明を致します。）などへ乗車や搭乗や乗船をされた時の事で、常に気に成る事の一つとして、反対側の窓の風景はどうなのかを考えた場合などの発明です。旅などできっと誰もが気に成るテーマの一つかと思われます。又、同じ窓側でも窓から二つ目の座席とか、三つ目の座席などでは、より一層窓からの風景が掴み取りにくいかと考えられます。そこでこの発明は予め、乗り物などへテレビカメラなどの撮影装置を、ここでは、一例として新幹線を用いたイメージ図面にて説明を進めて参ります。（２０）や（２１）（２４）（２６）の各部へ設置したテレビカメラの映像（音声や音楽を含む）などの信号を、（１４）窓などへ設置されたタッチ式マルチ画面本体の（５）左側の選択ボタン．（６）後部の選択ボタン．（７）前側の選択ボタン．（８）右側の選択ボタン．（９）その他の選択ボタン．（４４）ハンドリモコン装置などを軽く押す事により、（１４）窓などへ設置されたタッチ式マルチ画面本体へ、（１）左側の景色の映像．（２）後側の景色の映像．（３）右側の景色の映像．（１０）右側の景色の映像などを自在に映し出す事が出来ます。又、要望に応じて音声や音楽などを、（１２）タッチ式マルチ画面と一緒に設置したマイクや（１３）や（１５）のタッチ式マルチ画面と一緒に設置したスピーカーなどを活用して流したり、場合によっては、（１１）タッチ式マルチ画面と一緒に設置したテレビカメラを活用する事で、（１４）窓などへ設置されたタッチ式マルチ画面本体の、（３４）伝言板の選択ボタンなどを押す事で（３０）選択が可能な伝言板画面や、（３１）選択が可能な写真を伝言板と重ねた画面など、又は、自動車．列車．電車．新幹線．航空機．船舶などの各部へ設置されたテレビカメラの映像や（１２）タッチ式マルチ画面と一緒に設置したマイクで自分達の声を友人たちに伝言をしたり、又は、（３２）Ｗｅｂの選択ボタンを押す事で、Ｗｅｂやインターネットへ直接アクセスする事により、居ながらにして世界中へ様々な情報を発信する事が可能です。尚、本発明ではテレビカメラなどを複数個．複数組の増設が可能な為、（１４）窓などへ設置されたタッチ式マルチ画面本体へは、個々異なった映像などを自在に映し出す事が可能な発明です。
【請求項２】
本発明は、例えば旅などで乗り物などへ乗車や搭乗．乗船をされた時、（１４）窓などへ設置されたタッチ式マルチ画面本体の、（３３）ゲームの選択ボタンを押す事で色々なゲームが選択する事が出来ます。例えば（３５）や（３６）の選択が可能なゲーム画面などはその一例ですが、これら以外にも、一般的なテレビ放送や、（４）地域などのタウン情報のプレゼンテーション画像などを映し出す事で、乗り物などの中で、今どこを移動してるか近辺の地場産業やコマーシャルなどの宣伝や広告を配信を知る事が出来たら、或いは遠方や海外などの情報を定期的に、或いはスポット的に配信などを致す事で、従来には無いＩ．Ｔメディア産業とした事業展開も可能です。例えば既に取引が継続中のクライアント側と私どもの間で電子的な情報交換（パソコンやＷｅｂやインターネット．電子メールなどを活用）をする事で、電子マネーや電子決済などを活用できます。又、偶然に乗り合わせたゲストを（１１）や（１２）のタッチ式マルチ画面と一緒に設置したマイクなどを使って（１３）や（１６）のタッチ式マルチ画面と一緒に設置したスピーカー１や、フラット式のスリムスピーカー及び、（１５）タッチ式マルチ画面と一緒に設置したスピーカー２や、各窓へ設置されたタッチ式マルチ画面などへ、アットランダムなスポット放映をする事も可能です。この即席の移動ワーキングステージでも、当然の事ですが、ビジネスショーとして考える事が可能な発明です。更には、これらのホットな新情報などをＷｅｂやインターネット．電子メールなどへ即座に転送する事も可能です。尚、これらに使われるモニター画面のサイズや機器の相対的な大きさなどに付いては、任意に変える事も可能です。よって、現状の自動車．列車．電車．新幹線．航空機．船舶などの固定化された窓のサイズやそれらに携わる固定概念に拘る事も無く、本発明の機能を生かす事も可能です。
【請求項３】
本発明は乗り物などで異変．異常．緊急事態．犯罪．事故などが発生した場合、乗り物内の出来事や状況を、（１４）窓などへ設置されたタッチ式マルチ画面本体を介して乗り物の各部端末のタッチ式マルチ画面へ映し出したり、Ｗｅｂやインターネット．電子メールなどを活用して、世界中へ配信や情報公開が可能です。又、人命救助事態や犯罪行為などが生じた場合に、個々へ設置されたテレビカメラなどを駆使して離れた場所へ映像情報などを配信する事が可能です。例えば最近の事ですが新幹線などが地震で脱線事故を起した時も、長時間に渡り情報の入手が出来ず車内で孤立した事が有りました。この様な場合に本発明は画期的な効力を発揮する事が可能です。更には、本発明は様々な乗り物などの各部端末の（１４）窓などへ設置されたタッチ式マルチ画面本体と操縦室との間をＷｅｂ．Ｎｅｔで繋がる事で、操縦室の様々な操作が各客室からも自在に操る事などが可能です。又、Ｗｅｂやインターネットなどを使う事で離れた場所などから、遠隔操縦でこれら乗り物などを、自在に操る事により、操縦士が怪我や操縦不能などの状況下に陥った場合などには、この乗り物を速やかにに安全な場所などへ移動させる事も可能な発明です。
【発明の詳細な説明】
【技術分野】
【０００１】本発明はこれまで乗り物などは、ただ単に人物や荷物を移動したり運んだりするだけの物理的な道具に過ぎませんでした。しかし本発明は、これまでの乗り物などと大きく異なって、或る時はその乗り物の情報の告知場所であり、又、或る時は、搭乗している人物本人の情報発信の場に成る事が可能な発明です。つまり、単なる箱的な価値観から生きた情報発信と情報交換のＩ．Ｔギヤー的な新しい技術分野です。
【背景技術】
【０００２】本発明が従来と大きく異なる背景には、乗り物などは搭乗している間は、一部の携帯電話の交信程度以外として、殆どが一切の情報発信そして情報交換などが不可能に近い状況でした。しかしながら本発明はこの常識を大幅に変える事が可能な発明であり、従来の様な壁紙広告と異なって、映像と文字情報がリアルタイムに自在に入手する事が可能なＩ．Ｔメディアのテクノロジーを多いに活用した技術です。【０００３】本発明は、乗り物などと言った、極めて限られたスペースの状況下で、例えば乗ってから降りる迄の時間で、今しがた届いた映像情報や音声．音楽など極めて多くの情報などを、一個の孤立した箱と言う形の部屋の中で、乗り物の外や内部へ設置されたテレビカメラをはじめとする数々の装置による、情報発信と情報交換などを取り込む事が可能とした、Ｉ．Ｔメディアボックスと考えます。眼から、そして耳から飛び込んで来る新しい映像や音声．音楽情報などは、これまで経験が無かった、極めて新しい感覚、そして体感する事で搭乗される方たちへ様々な宣伝や広告などを伝達が可能な技術です。
【特許文献１】特開２００４−０３２１６０交通機関の沿線で開催されるイベント情報は、効果的に乗客に伝達されていないため、乗客が沿線のイベントに参加する機会はそれ程多くない。【特許文献２】特開２００２−１４７０４２レストランをあらゆる乗り物に擬し、かつ窓越しに映像で世界の有名な風景や未知の世界を再現し、かつ実際の振動を与えて臨場感のある仮想空間を経験できるバーチャルレストランの提供。【特許文献３】特開２００１−２８６６２９パチンコ機の遊技盤に設けた表示画面に、斬新で且つ視覚的な違和感のないスクロール画像を表示して、遊技の面白味を高める。解決手段表示画面１５に、乗り物の窓枠２６で仕切られた複数の図柄表示窓２８を放射状に延びるように表示し、各図柄表示窓２８には、数字、キャラクタ等の図柄２９と背景画像を表【特許文献４】特開２００２−２７３０３０実写動画が画面上に表示されるようなゲーム等において、リアリティがあり且つ臨場感溢れたゲーム等を実現可能とする。解決手段  例えば電車を仮想的に運転するようなシミュレーションゲームにおいて、ゲーム画面５０上に第１の画像領域５１（運転席前方の窓越しに見える動画風景）とそれ以外の第２の画像領域【特許文献５】特開２００４−２１２２３２モニタの画面に風景を表示するナビゲーション装置においては、表示する風景が例えば交差点から出発する車両から撮影した画像であるときには、この交差点を停止せずに走行する車両では実際の風景とモニタに表示される風景とは異なったものとなり、またこの交差点を通過する車両から撮影した画像であるときには、この交差点で停止してから発進する車両の風景とは異なってしまう。【特許文献６】特開平１１−１４９１０８自車両の左右外側の画像における左右の認知性を向上させ、左右外側の画像を明確に別の場面として認識しやすくさせる。。
〔解決手段〕動画像撮影手段により撮影された自車両１７の左右両側の風景をそれぞれ左右に回転し、自車両１７の走行方向とは異なる方向でモニタ１１に表示する。これにより、ドライバーに対し自車両１７の左右外側の映像を見ているという認識を与えられると共に左右の認知性を向上できる。【特許文献７】特開平０７−３０７９３２各種公演や搭乗車両等の特定座席から見た視野の視野映像情報を提供して、利用者の前記指定座席の指定券購入の利便を図ることを目的とする。構成  指定座席から見た特定視野映像を記憶した記憶手段１、２と接続されたホストコンピュータ
上記へ記載した特許文献１から特許文献７迄の内容は特許庁データベースから検索を致しました。上記の記載の異見解答として、藤原喜将の発明は、いづれもが装置などの提供者側が一方的な目的で作られた技術です。藤原喜将の場合は相互間が様々な情報の交換の場を目的とした発明ですので、定まった情報でなく常に変化する情報の処理手段と言う課題を持った発明ですので、全く類似する事は御座いません。【特許文献８】特開平１０−０２５９７５住宅や自動車の窓に従来にない機能を付加できると共に、大型画面のテレビを家庭内や自動車に有効に設置できる、ディスプレイ付き窓装置を提供する。解決手段  窓枠とこの窓枠にはめ込まれる窓板とから成る窓において、前記窓板の全部又は一部に、ディスプレイが備えられている。前記ディスプレイは、透明の又はほぼ透明の薄膜トランジスタとこのトランジスタにより制御される液晶とを含む液晶ディスプレイと、このディスプレイの室外側にこのディスプレイに対応して設けられた、透明板と透明電極とこの透明電極により制御される液晶とを含み、液晶の制御により透明状態から不透明又は半透明状態に切り換えられる調光板と、を備えている。
上記へ記載した特許文献８の内容は特許庁データベースから検索を致しました。上記の記載の異見解答として、藤原喜将の発明は、窓と言った物体を使ったタッチ式マルチモニターなどへ定まった情報でなく常に変化する情報の処理手段と言う課題を持った発明です。しかし特許文献８は、窓に付いては一緒の課題ですが、単なるテレビを設置しただけで、これ自身が特別な働きかけをするのでは無く単に一般的なテレビとたいした変化は御座いません。よって当方の発明とは全く類似する事は御座いません。
【発明の開示】
【発明が解決しようとする課題】
【０００４】本発明が解決しようとする課題は、これまでの従来の乗り物などは、限られた時間でＡ地点からＢ地点やＣ地点などへ人物や物などを移動させるだけの目的でした。本発明は乗り物などと言う名の箱へ、極めて限られたわずかな時間内でＷｅｂやインターネットそして電子メールをはじめとする、宣伝や広告などを含む様々な映像情報や音声情報、そして音楽情報などを有意義に伝える為の方法などを考えたものです。又、乗り物などの中で発生する様々な異常事態や、異変などや場合によっては人命に関わる救助措置などを考えた発明です。
【課題を解決するための手段】
【０００５】本発明が課題とする解決の手段は乗り物など中で、普段は特別に効果や威力を発揮する事の無い壁などに、例えばタッチ式マルチ画面や音響装置、そして充分に活用する事により、これまで壁紙程度の静止画面的な宣伝や広告の情報などを、次々と新しく様々な動画情報や静止画情報そして音声や音楽情報などを公開．広報する事が出来ます。更には、壁などで外界から隔離されている乗り物などの中で、予め乗り物の中そして乗り物の外へ設置されたテレビカメラなどにより、次々と最新の映像情報などを映し出す事で、乗り物などを利用する人々に全く新しい感覚や感触を覚える事によって、この乗り物などへ施された乗り物の新しい情報や地域のタウン情報などを、乗り物などの利用者が新情報などを容易に入手が可能な手段です。
【発明の効果】
【０００６】本発明の効果としてこれまでの乗り物などと比較して、例えば乗客効果を高める事が考えられます。従来の乗り物などと異なる点は、搭乗される方たちが自由に参加が可能と言う点です。孤立した乗り物の中から、次々と新しい様々な動画情報や静止画情報そして音声情報などがもたらす宣伝効果などは、これまでの壁絵的な宣伝や広告とは比較に成らないほどの効果が期待されます。
【発明を実施するための最良の形態】
【０００７】本発明の実施するための最良の形態として従来の乗り物などと比較して、壁紙的な宣伝や広告と異なり搭乗される方たちが、タッチ式マルチ画面から次々と登場する様々な動画情報や静止画情報などを見る事により、これまでの限られた情報入手とでは比較に成らない豊富な映像情報や音声．音楽などをリアルタイムに入手する事が可能な為、この事が最良の形態と考えられます。
【実施例１】
【０００８】本発明の実施例１として乗り物などの壁面を、最新のＩ．Ｔ技術の情報端末機器として活用する事が最良の実施例と考えられます。又、人命救助活動や異常事態や異変などが発生した時のハイテク．エマーゼンシーボックスなどとしての実施例も大いに推薦を致します。
【産業上の利用可能性】
【０００９】本発明は近代的な高級な乗り物などの限られた孤立場所を、Ｉ．Ｔ技術を結集したタッチ式マルチ画面へ様々な動画情報や静止画情報、音声や音楽情報などを公開．広報する事で時には、この乗り物などの孤立した場所から全世界へ情報発信、そして情報交換の拠点とする事が可能です。例えばこの乗り物などの入居者や企業などの宣伝や広報を公開する事が出来ます。更には、近辺のタウン情報や、遠く離れた全世界からの宣伝や広報などを、Ｗｅｂやインターネットそして電子メールを活用して、この乗り物などで公開する事の産業上の利用可能性が考えられます。
【図面の簡単な説明】
【００１０】
【図１】  本発明の（乗り物などの室内のタッチ画面図）
【図２】  本発明の（テレビカメラの設置位置を列車でイメージした上面図）
【図３】  本発明の（乗り物などの室内のタッチ画面図Ｗｅｂやゲームや伝言板の画面）
【図４】  本発明の（乗り物などの室内のタッチ画面図  異変．異常．緊急事態遠隔自動操縦中の画面）
【図５】  本発明の（ハンドリモコン操作機器図）
【図６】  本発明の（ゲーム．タウン情報などの拡大画面図）
【符号の説明】
【００１１】１−左側の景色の映像。    ２−後側の景色の映像。    ３−右側の景色の映像。
４−地域などのタウン情報のプレゼンテーション画像。    ５−左側の選択ボタン。
６−後部の選択ボタン。    ７−前側の選択ボタン。    ８−右側の選択ボタン。
９−その他の選択ボタン。    １０−右側の景色の映像。
１１−タッチ式マルチ画面と一緒に設置したテレビカメラ。
１２−タッチ式マルチ画面と一緒に設置したマイク。
１３−タッチ式マルチ画面と一緒に設置したスピーカー１。
１４−窓などへ設置されたタッチ式マルチ画面本体。
１５−タッチ式マルチ画面と一緒に設置したスピーカー２。
１６−タッチ式マルチ画面に内臓したフラット式のスリムスピーカー。
２０−前へ設置したテレビカメラ。    ２１−右へ設置したテレビカメラ。
２２−後部操縦室。    ２３−前部操縦室。    ２４−左へ設置したテレビカメラ。
２５−列車本体。    ２６−後へ設置したテレビカメラ。
３０−選択が可能な  伝言板画面。    ３１−選択が可能な写真を伝言板と重ねた画面。
３２−Ｗｅｂの選択ボタン。    ３３−ゲームの選択ボタン。
３４−伝言板の選択ボタン。    ３５−選択が可能なゲーム画面１。
３６−選択が可能なゲーム画面２。    ４０−異変．異常．緊急事態．遠隔自動操縦中の文字情報画面。    ４１−事故の選択ボタン。    ４２−緊急の選択ボタン。
４３−異常の選択ボタン。    ４４−ハンドリモコン装置。
【図２】
2006131205.tif 000003
【図１】
2006131205.tif 000004
【図３】
2006131205.tif 000005
【図４】
2006131205.tif 000006
【図５】
2006131205.tif 000007
【図６】
2006131205.tif 000008